【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
印刷ジョブを送信する情報処理装置と、受信した印刷ジョブを印刷装置に印刷させる印刷制御装置とを備えた印刷システムにおける印刷制御方法であって、
前記情報処理装置の発行手段が、印刷ジョブの処理を要求する印刷要求を発行する発行工程と、
前記印刷制御装置の管理手段が、受信した印刷要求の識別子を待ちリストに登録し、該待ちリストを用いて印刷要求に応じた印刷ジョブの実行を管理する管理工程と、
前記印刷制御装置の決定手段、或いは前記印刷制御装置及び前記情報処理装置の協働により実現される決定手段が、前記印刷要求の受信時における前記待ちリスト中の該印刷要求の順位に基づいて、該印刷要求の発行間隔を決定する決定工程と、
前記情報処理装置の制御手段が、前記決定工程で決定された発行間隔で前記印刷要求を発行するように、前記発行工程を制御する制御工程とを備えることを特徴とする印刷制御方法。
【請求項２】
前記決定工程は、
前記印刷制御装置の通知手段が、前記印刷要求の受信に応じて前記待ちリストにおける前記印刷要求の順位に基づいて決定された発行間隔を前記情報処理装置に通知する通知工程を更に備えることを特徴とする請求項１に記載の印刷制御方法。
【請求項３】
前記待ちリストには、各印刷要求の順位に応じて３段階以上の発行間隔が登録されており、
前記通知工程では、受信された前記印刷要求に対応して該待ちリストに登録されている発行間隔を通知することを特徴とする請求項２に記載の印刷制御方法。
【請求項４】
前記決定工程は、
前記印刷制御装置が、前記印刷要求の受信に応じて、前記待ちリストにおける前記印刷要求の順位を前記情報処理装置に通知する通知工程と、
前記情報処理装置が、通知された印刷要求の順位に基づいて当該印刷要求の発行間隔を設定する設定工程とを備えることを特徴とする請求項１に記載の印刷制御方法。
【請求項５】
情報処理装置より印刷ジョブを受信して処理する印刷制御装置における印刷制御方法あって、
受信手段が、印刷要求を受信する受信工程と、
管理手段が、受信した印刷要求の識別子を待ちリストに登録し、該待ちリストを用いて印刷要求に対応する印刷ジョブの実行を管理する管理工程と、
生成手段が、前記受信工程による前記印刷要求の受信に応じて、該印刷要求の印刷ジョブの印刷が許可されない場合には、前記待ちリストを参照して当該印刷要求の発行間隔を指示するための情報を含む応答情報を生成する生成工程と、
送信手段が、前記生成工程で生成された応答情報を前記情報処理装置に送信する送信工程とを備えることを特徴とする印刷制御方法。
【請求項６】
決定手段が、前記待ちリスト中に登録された各印刷要求に対して、該待ちリスト中の優先順位に基づいて発行間隔を決定し、決定された発行間隔を示す情報を該待ちリストに登録する決定工程を更に備え、
前記生成工程では、受信した印刷要求の発行間隔を示す情報を前記待ちリストより取得し、これを用いて前記応答情報を生成することを特徴とする請求項５に記載の印刷制御方法。
【請求項７】
前記決定工程では、前記待ちリストにおいて印刷要求を優先順位に従って３段階以上に区切り、優先順位の高い段階のものほど短い発行間隔を決定することを特徴とする請求項６に記載の印刷制御方法。
【請求項８】
前記優先順位は前記印刷要求の前記待ちリストへの登録順に対応することを特徴とする請求項６または７に記載の印刷制御方法。
【請求項９】
前記受信工程では、更に印刷要求の発行間隔を問い合わせる通知要求を受信し、
第２送信手段が、前記通知要求の受信に応じて、前記待ちリストを参照して当該印刷要求の発行間隔を指示するための情報を含む応答情報を生成し、該応答情報を前記情報処理装置に送信する第２送信工程を更に備えることを特徴とする請求項５に記載の印刷制御方法。
【請求項１０】
印刷制御装置に対して印刷を指示する情報処理装置における印刷制御方法であって、
発行手段が、印刷制御装置に対して、印刷ジョブの送信許可を得るために印刷要求を発行する発行工程と、
受信手段が、前記印刷要求の送信に対する前記印刷制御装置の応答を受信する受信工程と、
第１送信手段が、前記受信工程で受信した応答が印刷の許可を示す場合、対応する印刷ジョブを前記印刷制御装置に対して送信する第１送信工程と、
決定手段が、前記受信工程で受信した応答が印刷の不許可を示す場合、前記応答に含まれる情報に基づいて前記発行工程による前記印刷要求の発行間隔を決定する決定工程とを備えることを特徴とする印刷制御方法。
【請求項１１】
前記受信工程で受信される応答は発行間隔の指定を含み、
前記決定工程では、前記応答に含まれる発行間隔の指定に従って、前記発行工程による前記印刷要求の発行間隔を決定することを特徴とする請求項１０に記載の印刷制御方法。
【請求項１２】
前記受信工程で受信される応答は、前記印刷要求の待ち順位を含み、
前記決定工程では、前記応答に含まれる待ち順位に基づいて前記発行工程による前記印刷要求の発行間隔を決定することを特徴とする請求項１０に記載の印刷制御方法。
【請求項１３】
印刷ジョブを送信する情報処理装置と、受信した印刷ジョブを印刷装置に印刷させる印刷制御装置とを備えた印刷システムであって、
前記情報処理装置より印刷ジョブの処理を要求する印刷要求を発行する発行手段と、
前記印刷制御装置において、該印刷要求の識別子を待ちリストに登録し、該待ちリストを用いて印刷要求に応じた印刷ジョブの実行を管理する管理手段と、
前記印刷要求の受信時における前記待ちリスト中の該印刷要求の順位に基づいて、該印刷要求の発行間隔を決定する決定手段と、
前記決定手段で決定された発行間隔で前記印刷要求を発行するように、前記発行手段を制御する制御手段とを備えることを特徴とする印刷システム。
【請求項１４】
印刷ジョブを受信して処理する印刷制御装置であって、
印刷要求を受信する受信手段と、
受信した印刷要求の識別子を待ちリストに登録し、該待ちリストを用いて印刷要求に対応する印刷ジョブの実行を管理する管理手段と、
前記受信手段による前記印刷要求の受信に応じて、該印刷要求の印刷ジョブの印刷が許可されない場合には、前記待ちリストを参照して当該印刷要求の発行間隔を指示するための情報を含む応答情報を生成する生成手段と、
前記生成手段で生成された応答情報を前記情報処理装置に送信する送信手段とを備えることを特徴とする印刷制御装置。
【請求項１５】
印刷制御装置に対して、印刷ジョブの送信許可を得るために印刷要求を発行する発行手段と、
前記印刷要求の送信に対する応答を受信する受信手段と、
前記受信手段で受信した応答が印刷の許可を示す場合、対応する印刷ジョブを前記印刷制御装置に対して送信する第１送信手段と、
前記受信手段で受信した応答が印刷の不許可を示す場合、前記応答に含まれる情報に基づいて前記発行手段による前記印刷要求の発行間隔を決定する決定手段とを備えることを特徴とする情報処理装置。
【請求項１６】
請求項１乃至１２のいずれか１項に記載の印刷制御方法をコンピュータに実行させるためのプログラム。
【請求項１７】
請求項１６に記載のプログラムを記憶したことを特徴とするコンピュータ読み取り可能な記憶媒体。
【手続補正２】
【補正対象書類名】明細書
【補正対象項目名】０００９
【補正方法】変更
【補正の内容】
【０００９】
上記の目的を達成するための本発明の一態様による印刷制御方法は、
印刷ジョブを送信する情報処理装置と、受信した印刷ジョブを印刷装置に印刷させる印刷制御装置とを備えた印刷システムにおける印刷制御方法であって、
前記情報処理装置の発行手段が、印刷ジョブの処理を要求する印刷要求を発行する発行工程と、
前記印刷制御装置の管理手段が、受信した印刷要求の識別子を待ちリストに登録し、該待ちリストを用いて印刷要求に応じた印刷ジョブの実行を管理する管理工程と、
前記印刷制御装置の決定手段、或いは前記印刷制御装置及び前記情報処理装置の協働により実現される決定手段が、前記印刷要求の受信時における前記待ちリスト中の該印刷要求の順位に基づいて、該印刷要求の発行間隔を決定する決定工程と、
前記情報処理装置の制御手段が、前記決定工程で決定された発行間隔で前記印刷要求を発行するように、前記発行工程を制御する制御工程とを備える。
【手続補正３】
【補正対象書類名】明細書
【補正対象項目名】００１０
【補正方法】変更
【補正の内容】
【００１０】
また、上記の目的を達成するための本発明の他の態様による印刷制御方法は、
情報処理装置より印刷ジョブを受信して処理する印刷制御装置における印刷制御方法あって、
受信手段が、印刷要求を受信する受信工程と、
管理手段が、受信した印刷要求の識別子を待ちリストに登録し、該待ちリストを用いて印刷要求に対応する印刷ジョブの実行を管理する管理工程と、
生成手段が、前記受信工程による前記印刷要求の受信に応じて、該印刷要求の印刷ジョブの印刷が許可されない場合には、前記待ちリストを参照して当該印刷要求の発行間隔を指示するための情報を含む応答情報を生成する生成工程と、
送信手段が、前記生成工程で生成された応答情報を前記情報処理装置に送信する送信工程とを備える。
更に、上記の目的を達成するための本発明の更に他の態様による印刷制御方法は、
印刷制御装置に対して印刷を指示する情報処理装置における印刷制御方法であって、
発行手段が、印刷制御装置に対して、印刷ジョブの送信許可を得るために印刷要求を発行する発行工程と、
受信手段が、前記印刷要求の送信に対する前記印刷制御装置の応答を受信する受信工程と、
第１送信手段が、前記受信工程で受信した応答が印刷の許可を示す場合、対応する印刷ジョブを前記印刷制御装置に対して送信する第１送信工程と、
決定手段が、前記受信工程で受信した応答が印刷の不許可を示す場合、前記応答に含まれる情報に基づいて前記発行工程による前記印刷要求の発行間隔を決定する決定工程とを備える。